(57)【要約】【課題】ボリュームシャフトの長さ寸法の短小化を図り、ボリュームシャフトとして安価な汎用品を使用することにより調光装置のコストダウンを図る。【解決手段】ボリュームシャフト２６を備えたボリューム２７が実装された基板２４をサポートプレート２１に固定し、サポートプレート２１に形成された挿通穴３３にボリュームシャフト２６を挿通する。これにより、基板２４をサポートプレート２１に近接して配置することができ、ボリューム２７から挿通穴３３までの距離を短くしてボリュームシャフト２６の短小化を図ることができる。【選択図】　　　　図１
2004022425.tif 000002
【特許請求の範囲】
【請求項１】
ボリュームシャフトを備えたボリュームが実装された基板と；
前記基板が固定され、前記ボリュームシャフトが挿通される挿通穴が形成されたサポートプレートと；
前記サポートプレートに固定され、前記サポートプレートに固定された前記基板を囲むケースと；
を具備する調光装置。
【請求項２】
前記基板に実装されたディップスイッチと；
前記サポートプレートを貫通して形成され、前記サポートプレートに固定された前記基板の前記ディップスイッチがその内側に配置される操作用穴と；
を具備する請求項１記載の調光装置。
【発明の詳細な説明】
【０００１】
【発明の属する技術分野】本発明は、ボリュームを操作することによりランプの調光を行う調光装置に関する。
【０００２】
【従来の技術】従来、ランプの調光を行う調光装置としては種々のものがあり、その一例として、操作部を回転操作又はスライド操作することによりボリュームを回転させるようにした調光装置が知られている。
【０００３】
このような調光装置の一例を図４に基づいて説明する。この調光装置は、操作部を回転操作することによりボリュームを操作する方式のもので、サポートプレート１、サポートプレート１に固定されたケース２、ケース２内に収納された回路部品モジュール３等により構成されている。回路部品モジュール３は、取付板４、取付板４に取付けられたボリューム５、電源ユニット６、コントロール基板７等により構成され、ボリューム５にはこのボリューム５を可変操作するためのボリュームシャフト８が設けられている。サポートプレート１には、回路部品モジュール３を収納したケース２をサポートプレート１に固定したとき、ボリュームシャフト８が挿通される挿通穴９が形成されている。挿通穴９に挿通されたボリュームシャフト８の先端部には、ボリュームシャフト８を回転操作するための操作用摘み１０が固定されている。
【０００４】
このような調光装置の組立ては、ケース２内に回路部品モジュール３を収納し、回路部品モジュール３を収納したケース２をサポートプレート１の裏面側に固定することにより行われている。ケース２内に収納された回路部品モジュール３は、ケース２の内側に形成された保持用凸部１１に取付板４を係合させることにより固定されている。サポートプレート１へのケース２の固定は、ネジ止め、ケース２に形成された弾性を有する爪部をサポートプレート１に形成した爪用穴に係合させる等、様々な手段を採用できる。
【０００５】
【発明が解決しようとする課題】ボリューム５は取付板４に取付けられており、取付板４はケース２の底部側に位置している。このため、ボリューム５からサポートプレート１までの距離が長くなり、ボリュームシャフト８として長さ寸法が大きいカスタム品を使用しなければならず、カスタム品であるボリュームシャフト８が割高となるため、調光装置がコスト高となっている。
【０００６】
また、ボリュームシャフト８の長さ寸法が大きくなっているため、ボリュームシャフト８を回転操作するときにボリューム５に作用するモーメントが大きくなり、取付板４へのボリューム５の取付部分の耐久性が低下して調光装置の寿命が短くなる原因にもなる。
【０００７】
本発明の目的は、ボリュームシャフトの長さ寸法の短小化を図り、ボリュームシャフトとして安価な汎用品を使用することにより調光装置のコストダウンを図ることである。
【０００８】
本発明の目的は、ボリュームシャフトを回転操作するときにボリュームの実装部に作用するモーメントを小さくし、調光装置の寿命を長くすることである。
【０００９】
【課題を解決するための手段】請求項１記載の発明の調光装置は、ボリュームシャフトを備えたボリュームが実装された基板と；前記基板が固定され、前記ボリュームシャフトが挿通される挿通穴が形成されたサポートプレートと；前記サポートプレートに固定され、前記サポートプレートに固定された前記基板を囲むケースと；を具備する。
【００１０】
したがって、基板をサポートプレートに固定することにより、基板をサポートプレートに近接して配置することができ、ボリュームの位置からサポートプレートに形成された挿通穴までの距離を短くしてボリュームシャフトの短小化を図ることができる。ボリュームシャフトを短小化することにより、ボリュームシャフトとして安価な汎用品を使用することができるようになり、調光装置のコストダウンを図ることができる。さらに、ボリュームが短小化されることにより、ボリュームシャフトを回転操作するときにボリュームに作用するモーメントを小さくすることができ、基板へのボリュームの実装部分の耐久性向上を図ることができ、調光装置の長寿命化を図ることができる。
【００１１】
ここで、基板としては、ボリュームや電源回路を実装した一体物でもよく、又は、ボリュームを実装したコントロール基板と、電源回路を実装した電源回路基板とに分けてもよい。コントロール基板と電源回路基板とに分けた場合には、コントロール基板をサポートプレートに固定し、電源回路基板をスタッドなどのスペーサ部材を介してコントロール基板に取付ける。コントロール基板と電源回路基板とに分けることにより、電源回路で発生したノイズがコントロール基板側に影響することを防止できる。
【００１２】
請求項２記載の発明は、請求項１記載の調光装置において、前記基板に実装されたディップスイッチと；前記サポートプレートを貫通して形成され、前記サポートプレートに固定された前記基板の前記ディップスイッチがその内側に配置される操作用穴と；を具備する。
【００１３】
したがって、基板をサポートプレートに固定することによりディップスイッチがサポートプレートに形成された操作用穴の内側に配置されるので、基板をサポートプレートに固定した後にディップスイッチの設定操作を容易に行える。ディップスイッチの設定操作により設定される事項としては、例えば、ボリュームによる操作内容を、ランプの明るさ調整とランプの点灯、消灯とを行えるようにするのか、或いは、ランプの明るさ調整のみを行ってランプの点灯、消灯は他のスイッチで行うようにするのか等である。
【００１４】
【発明の実施の形態】本発明の一実施の形態を図１ないし図３に基づいて説明する。図１は調光装置を示す縦断側面図、図２はその正面図、図３はその側面図である。
【００１５】
本実施の形態の調光装置は、サポートプレート２１、ケース２２、スイッチケース２３、基板であるコントロール基板２４、電源回路基板２５等により構成されている。
【００１６】
コントロール基板２４には、ボリュームシャフト２６を備えたボリューム２７、ディップスイッチ２８、その他のコントロール部品２９が実装されている。コントロール基板２４は、サポートプレート２１の裏面側に近接させて配置され、ネジ３０により固定されている。
【００１７】
電源回路基板２５には電源回路部品３１が実装され、電源回路基板２５はスタッド３２を介してコントロール基板２４に取付けられている。電源回路基板２５とコントロール基板２４とは、スタッド３２を介して取付けられることにより所定寸法離間され、電源回路部品３１で発生したノイズがコントロール基板２４側に影響しないようにされている。さらに、電源回路基板２５には、この調光装置により調光されるランプをオン、オフさせる電源スイッチ（図示せず）が接続されている。電源スイッチは、スイッチケース２３内に収納されている。
【００１８】
サポートプレート２１は平板状の部材であり、ネジ３０が螺号されるネジ穴（図示せず）、コントロール基板２４がサポートプレート２１に固定されたときにボリュームシャフト２６が挿通される挿通穴３３、コントロール基板２４がサポートプレート２１に固定されたときにディップスイッチ２８がその内部に配置される操作用穴３４、電源スイッチの可動部３５がその内部に配置される開口部（図示せず）、調光装置を壁面などに埋め込んだ状態に取付けるためのネジが挿通される取付穴（図示せず）等が形成されている。挿通穴３３に挿通されたボリュームシャフト２６の先端部には操作用摘み３６が固定されている。
【００１９】
ケース２２は、サポートプレート２１の裏面側であってコントロール基板２４と電源回路基板２５とを囲む位置に配置され、サポートプレート２１に固定されている。サポートプレート２１へのケース２２の固定は、ネジ止め、ケース２２に形成した弾性を有する爪部をサポートプレート２１に形成した穴部に係合させること等、様々な手段を採用できる。
【００２０】
スイッチケース２３は、サポートプレート２１の裏面側であってケース２２に近接した位置に配置され、サポートプレート２１にネジ止めされている。スイッチケース２３がサポートプレート２１にネジ止めされたとき、電源スイッチの可動部３５がサポートプレート２１に形成された開口部内に位置している。
【００２１】
サポートプレート２１の正面側には、図２に示すように、その外周部分を覆う外周部カバー３７と、操作用穴３４内に位置するディップスイッチ２８を覆うカバー３８と、ボリュームシャフト２６に固定された操作用摘み３６の周囲を覆うカバー３９と、電源スイッチの可動部３５に連結されて電源スイッチをオン・オフ操作する位置へ回動可能なスイッチカバー４０とが取付けられている。カバー３９には、スイッチカバー４０を回動させて電源スイッチをオンにしたときに点灯するＬＥＤ（図示せず）の点灯を確認することができる確認窓４１が形成されている。
【００２２】
このような構成において、調光装置の組立ては、以下のようにして行われる。電源回路基板２５をコントロール基板２４にスタッド３２により取付け、コントロール基板２４をネジ３０を用いてサポートプレート２１の裏面側に固定する。コントロール基板２４をサポートプレート２１に固定することにより、ボリュームシャフト２６が挿通穴３３に挿通され、ディップスイッチ２８が操作用穴３４内に配置される。挿通穴３３に挿通されたボリュームシャフト２６の先端部に操作用摘み３６を取付ける。
【００２３】
その後、コントロール基板２４と電源回路基板２５とを囲むようにしてケース２２をサポートプレート２１の裏面側に固定する。
【００２４】
さらに、電源スイッチを収納しているスイッチケース２３をサポートプレート２１にネジ止めし、電源スイッチの可動部３５をサポートプレート２１に形成されている開口部内に位置させる。
【００２５】
その後、サポートプレート２１の正面側に外周部カバー３７を取付ける。サポートプレート２１への外周部カバー３７の取付けは、外周部カバー３７に形成された爪部（図示せず）をサポートプレート２１の縁部に係合させることにより行う。
【００２６】
以上のようにして、裏面側にコントロール基板２４と電源回路基板２５とケース２２とスイッチケース２３とを固定し、正面側に外周部カバー３７を取付けたサポートプレート２１を壁面などに埋め込んだ状態に配置し、サポートプレート２１に形成された取付穴にネジを挿通してネジ止めする。そして、壁面などに埋め込まれた状態でネジ止めされたサポートプレート２１の正面側に、カバー３８、３９、スイッチカバー４０を取付ける。
【００２７】
ここで、コントロール基板２４がサポートプレート２１にネジ３０を用いて固定され、コントロール基板２４がサポートプレート２１に近接して位置するので、ボリューム２７の位置から挿通穴３３までの距離が短くなり、ボリュームシャフト２６の長さ寸法を小さくすることができる。これにより、ボリュームシャフト２６として長さ寸法が短く安価な汎用品を使用することが可能となり、調光装置のコストダウンを図ることができる。
【００２８】
さらに、ボリュームシャフト２６の長さ寸法が小さくなることにより、ボリュームシャフト２６の回転操作時においてボリューム２７に作用するモーメントが小さくなり、コントロール基板２４へのボリューム２７の実装部分の耐久性向上を図ることができ、調光装置の長寿命化を図ることができる。
【００２９】
ディップスイッチ２８は、コントロール基板２４をサポートプレート２１に固定したときに操作用穴３４の内側に位置するので、コントロール基板２４をサポートプレート２１に固定した後にディップスイッチ２８の設定操作を容易に行える。
【００３０】
ディップスイッチ２８の設定操作が終了した後は、ディップスイッチ２８を覆うようにカバー３８をサポートプレート２１に取付けることにより、設定操作終了後のディップスイッチ２８の誤操作を防止することができる。サポートプレート２１へのカバー３８の取付けは、カバー３８に形成された爪部（図示せず）をサポートプレート２１に形成された係合溝（図示せず）に係合させること等により行える。カバー３９の取付けも同様である。
【００３１】
【発明の効果】請求項１記載の発明の調光装置によれば、基板をサポートプレートに固定することにより、基板をサポートプレートに近接して配置することができ、基板に実装されたボリュームの位置からサポートプレートに形成された挿通穴までの距離を短くしてボリュームシャフトの短小化を図ることができ、ボリュームシャフトを短小化することによりボリュームシャフトとして安価な汎用品を使用することができるとともに調光装置のコストダウンを図ることができ、さらに、ボリュームが短小化されることにより、ボリュームシャフトを回転操作するときにボリュームに作用するモーメントを小さくすることができ、基板へのボリュームの実装部分の耐久性向上を図ることができるとともに調光装置の長寿命化を図ることができる。
【００３２】
請求項２記載の発明によれば、請求項１記載の調光装置において、前記基板に実装されたディップスイッチと；前記サポートプレートを貫通して形成され、前記サポートプレートに固定された前記基板の前記ディップスイッチがその内側に配置される操作用穴と；を具備するので、基板をサポートプレートに固定することによりディップスイッチがサポートプレートに形成された操作用穴の内側に配置されるので、基板をサポートプレートに固定した後にディップスイッチの設定操作を容易に行うことができる。
【図面の簡単な説明】
【図１】本発明の一実施の形態の調光装置を示す縦断側面図である。
【図２】その正面図である。
【図３】その側面図である。
【図４】従来例の調光装置を示す縦断側面図である。
【符号の説明】
２１：サポートプレート、２２：ケース、２４：基板、２６：ボリュームシャフト、２７：ボリューム、２８：ディップスイッチ、３３：挿通穴、３４：操作用穴
【図１】
2004022425.tif 000003
【図２】
2004022425.tif 000004
【図３】
2004022425.tif 000005
【図４】
2004022425.tif 000006